(57)【要約】【課題】背面側の線間容量が低減可能なＰＤＰ及びその製造方法を提供することにある。【解決手段】背面側基板として自己保持性を有する誘電体層１を用いる。誘電体層１の一面に放電空間を形成するリブ２を複数配置する。このリブ２によって作られた放電空間に対応する誘電体層１の他の一面に電極３を配置する。この誘電体層１には硼珪酸ガラス、またはソーダライムガラスといったホウケイ酸系ガラスを用いることで線間容量を低減する。【選択図】図１
2011233256.tif 000002
【特許請求の範囲】
【請求項１】
誘電体層と、前記誘電体層の一面上に設けられたリブと、を含む背面側基板を有するプラズマディスプレイパネルであって、
前記誘電体層の前記リブが設けられた一面と異なる他の一面に電極が形成されていることを特徴とするプラズマディスプレイパネル。
【請求項２】
請求項１記載のプラズマディスプレイパネルにおいて、該プラズマディスプレイパネルは更に基板を有し、
前記基板は、前記誘電体層の前記電極が形成されている面と張り合わされていることを特徴とするプラズマディスプレイパネル。
【請求項３】
請求項１記載のプラズマディスプレイパネルにおいて、前記誘電体層と前記リブが同一の材料により形成されていることを特徴とするプラズマディスプレイパネル。
【請求項４】
誘電体層と、前記誘電体層の一面上に設けられたリブと、を含む背面側基板を有するプラズマディスプレイパネルであって、
前記リブが設けられた一面と異なる他の一面にフィルタ層が設けられ、前記フィルタ層上に電極が形成されていることを特徴とするプラズマディスプレイパネル。
【請求項５】
請求項４記載のプラズマディスプレイパネルにおいて、前記フィルタ層は特定の波長の光を反射することを特徴とするプラズマディスプレイパネル。
【請求項６】
請求項４記載のプラズマディスプレイパネルにおいて、前記フィルタ層は特定の波長の光を吸収することを特徴とするプラズマディスプレイパネル。
【請求項７】
誘電体層と、前記誘電体層の一面上に設けられたリブと、を含む背面側基板を有するプラズマディスプレイパネルであって、
前記リブによって放電空間が形成され、
前記リブが設けられた一面と異なる他の一面の前記放電空間に対応する箇所にフィルタ層が設けられ、前記フィルタ層上に電極が形成されていることを特徴とするプラズマディスプレイパネル。
【請求項８】
請求項７記載のプラズマディスプレイパネルにおいて、前記放電空間に塗布された蛍光体に対応した波長の光を反射することを特徴とするプラズマディスプレイパネル。
【請求項９】
請求項７記載のプラズマディスプレイパネルにおいて、前記放電空間に塗布された蛍光体に対応した波長の光を吸収することを特徴とするプラズマディスプレイパネル。
【請求項１０】
誘電体層と、前記誘電体層の一面上に設けられたリブと、保持用基板と、を含む背面側基板を有するプラズマディスプレイパネルであって、
前記保持用基板のある一面に電極を設け、
前記誘電体層の前記リブが設けられた一面と異なる他の一面と前記保持用基板の前記電極を設けられた面とが張り合わされることを特徴とするプラズマディスプレイパネル。
【請求項１１】
誘電体層と、前記誘電体層の一面上に設けられたリブと、保持用基板と、を含む背面側基板を有するプラズマディスプレイパネルであって、
前記保持用基板のある一面に電極を設け、前記電極の設けられた面にフィルタ層を形成し、
前記誘電体層の前記リブが設けられた一面と異なる他の一面と前記保持用基板の前記電極及び前記フィルタ層が設けられた面とが張り合わされることを特徴とするプラズマディスプレイパネル。
【請求項１２】
誘電体層と、前記誘電体層の一面上に設けられたリブと、保持用基板と、を含む背面側基板を有するプラズマディスプレイパネルであって、
前記リブによって放電空間が形成され、
前記保持用基板のある一面に電極を設け、前記電極の設けられた面の前記放電空間に対応する箇所にフィルタ層を形成し、
前記誘電体層の前記リブが設けられた一面と異なる他の一面と前記保持用基板の前記電極及び前記フィルタ層が設けられた面とが張り合わされることを特徴とするプラズマディスプレイパネル。
【請求項１３】
請求項１ないし１２のいずれか１項記載のプラズマディスプレイパネルを用いた表示装置。
【発明の詳細な説明】
【技術分野】
【０００１】
本発明は、プラズマディスプレイパネル（ＰＤＰ）、特にＰＤＰの構造に関する。
【背景技術】
【０００２】
プラズマディスプレイパネル（ＰＤＰ）は、大画面化に好適なフルカラー表示装置として注目されると共に、広く一般に普及した製品である。特に三電極面放電型のＡＣ型ＰＤＰは、表示側のガラス基板（前面側ガラス基板）上に面放電を発生する複数の表示電極対をＩＴＯなどで構成する。また背面側のガラス基板（背面側基板）には、その表示電極対と表示領域から見て直交するアドレス電極及びそれを被覆する蛍光体層を形成する。
【０００３】
背面側基板には誘電率が所定の値以上のガラスが用いられている。ＰＤＰの高精細化に伴い、アドレス電極間の線間容量による無効電力の増大が問題になる。この問題の解決のために、誘電体やリブの低融点ガラスの比誘電率を下げる検討がなされているが、これらの構造を保持するための背面ガラス基板が不可欠である。
【０００４】
特開平１０−１７７８４５号公報（特許文献１）には、アドレス電極を配置したガラス基板上に、直接リブを立てて、その上に蛍光体を塗布する技術が開示されている。
【０００５】
特開平１１−２６０２６７号公報（特許文献２）には、誘電体層の役割をするガラス薄板を採用することで、塗布方式よりも表示素子の構造を簡単にする技術が開示されている。
【０００６】
特開２００４−３５６０３９号公報（特許文献３）には、ガラス基板上に、表示電極が配置済みの誘電体ガラスシートを誘電体層として用いる技術が開示されている。
【０００７】
特開２０００−２０８０６２号公報（特許文献４）にも、アドレス電極が配置されたガラス基板上に直接リブを立て、無機誘電体層を形成する技術が記載されている。
【先行技術文献】
【特許文献】
【０００８】
【特許文献１】特開平１０−１７７８４５号公報
【特許文献２】特開平１１−２６０２６７号公報
【特許文献３】特開２００４−３５６０３９号公報
【特許文献４】特開２０００−２０８０６２号公報
【発明の概要】
【発明が解決しようとする課題】
【０００９】
しかし、上述各特許文献の技術を適用しても、アドレス電極が背面側基板上に存在する以上、線間容量を大幅に低減できない課題がある。
【００１０】
本発明の目的は、背面側の線間容量が低減可能なＰＤＰ及びその製造方法を提供することにある。
【００１１】
本発明の前記並びにその他の目的と新規な特徴は、本明細書の記述及び添付図面から明らかになるであろう。
【課題を解決するための手段】
【００１２】
本願において開示される発明のうち、代表的なものの概要を簡単に説明すれば、次の通りである。
【００１３】
本発明の代表的な実施の形態に関わるプラズマディスプレイパネルは、誘電体層と、この誘電体層の一面上に設けられたリブと、を含む背面側基板を有するものであって、誘電体層のリブが設けられた一面と異なる他の一面に電極が形成されていることを特徴とする。
【００１４】
このプラズマディスプレイパネルにおいて、該プラズマディスプレイパネルは更に基板を有し、この基板は、誘電体層の電極が形成されている面と張り合わされていることを特徴としても良い。
【００１５】
このプラズマディスプレイパネルにおいて、誘電体層とリブが同一の材料により形成されていることを特徴としても良い。
【００１６】
本発明の代表的な実施の形態に関わる別のプラズマディスプレイパネルは、誘電体層と、誘電体層の一面上に設けられたリブと、を含み、リブが設けられた一面と異なる他の一面にフィルタ層が設けられ、フィルタ層上に電極が形成されていることを特徴とする。
【００１７】
このプラズマディスプレイパネルにおいて、フィルタ層は特定の波長の光を反射することを特徴としても良い。また、フィルタ層は特定の波長の光を吸収することを特徴としても良い。
【００１８】
本発明の代表的な実施の形態に関わる別のプラズマディスプレイパネルは、誘電体層と、誘電体層の一面上に設けられたリブと、を含む背面側基板を有し、リブによって放電空間が形成され、リブが設けられた一面と異なる他の一面の放電空間に対応する箇所にフィルタ層が設けられ、フィルタ層上に電極が形成されていることを特徴とする。
【００１９】
このプラズマディスプレイパネルにおいて、放電空間に塗布された蛍光体に対応した波長の光を反射することを特徴としても良い。また、放電空間に塗布された蛍光体に対応した波長の光を吸収することを特徴としても良い。
【００２０】
本発明の代表的な実施の形態に関わる別のプラズマディスプレイパネルは、誘電体層と、誘電体層の一面上に設けられたリブと、保持用基板と、を含む背面側基板を有するものであって、保持用基板のある一面に電極を設け、誘電体層のリブが設けられた一面と異なる他の一面と保持用基板の電極を設けられた面とが張り合わされることを特徴とする。
【００２１】
本発明の代表的な実施の形態に関わる別のプラズマディスプレイパネルは、誘電体層と、誘電体層の一面上に設けられたリブと、保持用基板と、を含む背面側基板を有し、保持用基板のある一面に電極を設け、電極の設けられた面にフィルタ層を形成し、誘電体層のリブが設けられた一面と異なる他の一面と保持用基板の電極及びフィルタ層を設けられた面とが張り合わされることを特徴とする。
【００２２】
本発明の代表的な実施の形態に関わる別のプラズマディスプレイパネルは、誘電体層と、誘電体層の一面上に設けられたリブと、保持用基板と、を含む背面側基板を有し、リブによって放電空間が形成され、保持用基板のある一面に電極を設け、電極の設けられた面の放電空間に対応する箇所にフィルタ層を形成し、誘電体層のリブが設けられた一面と異なる他の一面と保持用基板の電極及びフィルタ層を設けられた面とが張り合わされることを特徴とする。
【００２３】
上記の各プラズマディスプレイパネルを用いた表示装置も本発明の射程に入る。
【発明の効果】
【００２４】
本発明に関わるＰＤＰの背面側基板を用いる事で、背面側基板に設けられた電極が接する背面側の基板ガラスが不要となり、アドレス電極の線間容量が低減する。これにより大幅な無効電力の低減が期待できる。
【図面の簡単な説明】
【００２５】
【図１】本発明の第１の実施の形態に関わるＰＤＰの背面側基板の構造を表す断面図である。
【図２】本発明の第１の実施の形態に関わる別のＰＤＰの背面側基板の構造を表す断面図である。
【図３】本発明の第２の実施の形態に関わるＰＤＰの背面側基板の構造を表す断面図である。
【図４】本発明の第３の実施の形態に関わるＰＤＰの背面側基板の構造を表す断面図である。
【図５】本発明の第３の実施の形態に関わる別のＰＤＰの背面側基板の構造を表す断面図である。
【図６】本発明の第４の実施の形態に関わるＰＤＰの背面側基板の構造を表す断面図である。
【図７】本発明の第４の実施の形態に関わる別のＰＤＰの背面側基板の構造を表す断面図である。
【発明を実施するための形態】
【００２６】
以下、図を用いて本発明の実施の形態を説明する。
【００２７】
（第１の実施の形態）
図１は、本発明の第１の実施の形態に関わるＰＤＰの背面側基板の構造を表す断面図である。
【００２８】
本実施の形態の背面側基板は、誘電体層１、リブ２、電極３、蛍光体層４を含んで構成される。
【００２９】
この背面側基板は、その基板の１箇所あるいは２箇所以上で保持することで割れること無く形状を保持できる自己保持が可能な強度（＝自己保持性）を有する所望の板厚の誘電体層１上にリブ２を形成し、誘電体層１及びリブ２の内壁に蛍光体層４が形成される。また、誘電体層１のリブ２を形成していない側の表面に電極３が形成されている。
【００３０】
誘電体層１は硼珪酸ガラスまたはソーダライムガラスを用いた自己保持性を有する板厚（図１参照）のガラス製薄膜シートである。なお、この誘電体層１の厚みは約５０μｍを想定する。なお、硼珪酸ガラスまたはソーダライムガラスは一例であり、これらに限定するものではない。
【００３１】
リブ２は、画素の放電空間を確保するための低融点ガラス製の構造体である。このリブ２の高さ（図１参照）は約１００μｍである。このリブ２の製造方法としては、誘電体層１自体を加工して構成する方法、誘電体層１の表面に低融点ガラスで隔壁を構成する方法などがあるが、本実施の形態では後者で形成することを想定する。
【００３２】
図２は、本発明の第１の実施の形態に関わる別のＰＤＰの背面側基板の構造を表す断面図である。この図では、誘電体層１として１５０μｍ程度のガラスを用いる。
【００３３】
このガラスの片面をサンドブラスト法などにより切削し、放電空間を生成する。図２の放電空間の形状は、その一例であり、形状については半円形に限られない。
【００３４】
電極３は、リブ２と反対の面に設けられるクロムＣｒ／銅Ｃｕ／クロムＣｒ電極である。通常背面側に設けられる電極はアドレス電極であるが、本発明では電極の用途は特定しない。
【００３５】
蛍光体層４は、放電により発生する真空紫外光線プラズマに反応して発光する有色の蛍光体である。各セルに塗布される蛍光体は赤緑青（ＲＧＢ）のいずれか１色である。
【００３６】
この背面側基板は、本図では図示しない前面側ガラス基板と重畳してシール材で封止することで、放電空間を形成する。この際、この背面側基板が自己保持性を有することで、従来の印刷・焼成の工程を必要としない利点がある。
【００３７】
封止後、前面側板ガラス、または封止用のシール材に設けられたガス導入穴よりネオンＮｅ−キセノンＸｅガスを導入し、ＰＤＰを構成する。
【００３８】
以上のように、背面側基板をガラス製薄膜シートで構成することで、従来のようなガラス基板を用いることなく背面側基板を構成することが可能となる。これにより、アドレス電極間の線間容量が低減し、大幅な無効電力の低減が期待できる。
【００３９】
（第２の実施の形態）
次に本発明の第２の実施の形態について図を用いて説明する。
【００４０】
図３は、本発明の第２の実施の形態に関わるＰＤＰの背面側基板の構造を表す断面図である。
【００４１】
この背面側基板では、第１の実施の形態の構成に加え、基板５を含む。
【００４２】
この基板５は構造材であり、誘電体層１の自己保持性のサポートを行うものである。この基板５は自己保持性を有していれば、特に材質は問わないが、可能であれば樹脂基板を用いることが好ましい。樹脂の方がガラスよりも比誘電率が小さく、線間容量を小さくすることが可能だからである。
【００４３】
また、図上にも表現したとおり、この実施の形態では電極３を基板５に先に構成し、その後にリブ２などを形成した誘電体層１を圧着する構成を取る。しかし、第１の実施の形態の手順で、電極３を構成した誘電体層１を作成し、その後基板５に誘電体層１を載置することでも実現可能である。
【００４４】
以上のように樹脂製の基板５を用いる事で、より線間容量を小さくした背面側基板を構成することが可能である。
【００４５】
（第３の実施の形態）
次に本発明の第３の実施の形態について図を用いて説明する。
【００４６】
図４は、本発明の第３の実施の形態に関わるＰＤＰの背面側基板の構造を表す断面図である。また図５は、本発明の第３の実施の形態に関わる別のＰＤＰの背面側基板の構造を表す断面図である。
【００４７】
本実施の形態では、誘電体層１上にフィルタ層６を設け、その上から電極３を形成する構成を取る。ＰＤＰ全体で単一のフィルタ層６を設けるのが図４の実施の形態であり、セル毎にフィルタ層６−１、６−２、６−３を設けるのが図５の実施の形態である。
【００４８】
この構成を取る利点は樹脂フィルタの使用が可能になる点にある。
【００４９】
すなわち、この構成を取ると、リブ２の形成後にフィルタ層を形成することが可能となる。これにより、高温に耐えられない樹脂フィルタをフィルタ層６、６−１、６−２、６−３に用いることが可能になる。
【００５０】
無機顔料フィルタは、顔料を分散させて配置するために高温に耐えることは可能であるが、発色及び吸収する波長の選択性の面で樹脂フィルタに見劣りする。本実施の形態では、製造プロセスの制約に関係なく、この樹脂フィルタを使用することが可能となる。
【００５１】
結果、ＰＤＰの良好な発色と、吸収する波長の選択性を改善することが可能となる。
【００５２】
図４の構成だと、蛍光体層４の特定の色に特化することは困難となる。従ってセルの蛍光体層４の色に関わらず全て同一の反射特性あるいは吸収特性になる。
【００５３】
一方、図５の構成の場合、セル毎に特徴のあるフィルタ層を用いることが可能となる。すなわち、リブ２で区切られたセルの蛍光体の発光色の波長と同じ波長を反射したり、リブ２で区切られたセルの蛍光体の発光色の波長と異なる波長を吸収あるいは透過したりすることが可能となる。
【００５４】
以上のように、本実施の形態により、無効電力の低減と併せて樹脂フィルタを用いることが可能となり、ＰＤＰの良好な発色と吸収する波長の選択性を改善することが可能となる。
【００５５】
（第４の実施の形態）
次に本発明の第４の実施の形態について図を用いて説明する。本実施の形態は、第２の実施の形態を基礎としたものである。
【００５６】
本実施の形態では、基板５上に電極３を設けた後に電極３を覆う形でフィルタ層を設ける点に特徴がある。
【００５７】
図６は本発明の第４の実施の形態に関わるＰＤＰの背面側基板の構造を表す断面図である。また図７は、本発明の第４の実施の形態に関わる別のＰＤＰの背面側基板の構造を表す断面図である。
【００５８】
本実施の形態では、基板５上に電極３を形成し、その後フィルタ層７を形成する構成を取る。ＰＤＰ全体で単一のフィルタ層７を設けるのが図６の実施の形態であり、セル毎にフィルタ層７−１、７−２、７−３を設けるのが図７の実施の形態である。
【００５９】
この構成でも第３の実施の形態同様に樹脂フィルタの使用が可能になる。
【００６０】
すなわち、この構成を取ると、焼成による誘電体層１上のリブの形成と別のプロセスでフィルタ層を形成することができる。これにより、高温に耐えられない樹脂フィルタをフィルタ層７、７−１、７−２、７−３に用いることが可能になる。
【００６１】
結果、ＰＤＰの良好な発色と、吸収する波長の選択性を改善することが可能となる。
【００６２】
図６の構成の場合、フィルタ層７はセルの蛍光体層４の色に関わらず全て同一の反射特性あるいは吸収特性になる。
【００６３】
一方、図７の構成の場合、セル毎に特徴のあるフィルタ層を用いることが可能となる。すなわち、リブ２で区切られたセルの蛍光体の発光色の波長と同じ波長を反射したり、リブ２で区切られたセルの蛍光体の発光色の波長と異なる波長を吸収あるいは透過したりすることが可能となる。
【００６４】
以上のように、本実施の形態により、無効電力の低減と併せて樹脂フィルタを用いることが可能となり、ＰＤＰの良好な発色と吸収する波長の選択性を改善することが可能となる。
【００６５】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００６６】
本発明は、ＰＤＰの背面側基板の構成に関する技術である。本発明の射程としてはＰＤＰのみでなく、それを利用した平面表示装置なども当然に含まれる。
【符号の説明】
【００６７】
１…誘電体層、２…リブ、３…電極、４…蛍光体層、５…基板、
６、６−１、６−２、６−３、７、７−１、７−２、７−３…フィルタ層。
【図１】
2011233256.tif 000003
【図２】
2011233256.tif 000004
【図３】
2011233256.tif 000005
【図４】
2011233256.tif 000006
【図５】
2011233256.tif 000007
【図６】
2011233256.tif 000008
【図７】
2011233256.tif 000009